(57)【特許請求の範囲】
【請求項１】
農業用ハウスの骨組みとして縦横に交差して組みつけられた部分に用いられるパイプ部材の取り外し補助装置であって、
前記パイプ部材の交差部において第１のパイプ部材を掴む１対の挟持ヘッドを有する掴み部と、掴み部に接続され握持動作により掴み部の掴み動作を行なわせるグリップ部と、を一体的に組み付けたハンドバイス体を有し、
掴み部により第１のパイプ部材を掴んだ状態で交差した第２のパイプ部材に係着し当該第１のパイプ部材に差し込み接合された第３のパイプ部材の回し動作に抗してハンドバイス体の共回りを防止する回動防止片がいずれかの挟持ヘッドに一体的に固定されていることを特徴とする農業用ハウスの骨組みパイプ部材の取り外し補助装置。
【請求項２】
回動防止片は、いずれかの挟持ヘッドの側方に向けて開口しパイプ部材を挿脱し得る係着溝を備えた請求項１記載の農業用ハウスの骨組みパイプ部材の取り外し補助装置。
【請求項３】
挟持ヘッドの側部には叩打受け部が一体的に固定されている請求項１または２記載の農業用ハウスの骨組みパイプ部材の取り外し補助装置。
【請求項４】
農業用ハウスの骨組み用パイプ部材の取り外し補助装置であって、
前記パイプ部材を掴む１対の挟持ヘッドを有する掴み部と、
掴み部に接続され握持動作により掴み部の掴み動作を行なわせるグリップ部と、を一体的に組み付けたハンドバイス体を有し、
掴み部によりパイプ部材を掴みロックした状態で側方から該掴み部を叩打するに際していずれかの挟持ヘッドの側部に叩打受け部を一体的に固定して設けている農業用ハウスの骨組みパイプ部材の取り外し補助装置。
【請求項５】
請求項１ないし３のいずれかの装置を第１の補助装置とし、請求項３または４記載の取り外し補助装置を第２補助装置とし、
第１補助装置の掴み部と回動防止片をパイプ部材の交差部において取り付けてロック保持し、
第１補助装置の掴み部により固定ロックされた第１のパイプ部材に直状に差し込み接合された第３のパイプ部材を第２補助装置の掴み部で掴み固定させ、
その状態で第２補助装置の叩打受け部を側方から叩打してパイプ部材の取り外しを行なう農業用ハウスの骨組みパイプ部材の取り外し方法。
【発明の詳細な説明】
【０００１】
【発明の属する技術分野】
農業用ハウスの骨組みパイプ部材の取り外し補助装置及びそれらを用いたパイプ部材の取り外し方法に関する。
【０００２】
【従来の技術】
農業用ハウスを組み立てるときに骨組みとしてパイプ部材を用いている。図７に示すように、農業用ハウス１００は、アーチ形パイプ部材１０２の脚部を例えば４０ｃｍ程度地面に垂直に差し込んだものを、６０ｃｍ置きにハウスの長さ分、例えばおよそ７０ｍの長さに直線状に配置させる。このアーチ形パイプ部材１０２の脚部に直交するように、すなわち地面と平行になるように直パイプ部材１０４を配置させる。図７の一部拡大部分Ａに示すように、このアーチ形パイプ部材１０２と直パイプ部材１０４は、例えば針金１０６等を用いて固定されている。この直パイプ部材１０４は、４ｍ〜６ｍの長さで、図７の一部拡大部分Ｂに示すように、一方の第１直パイプ部材１０４ａのやや小さい端部をもう一方の第２直パイプ部材１０４ｂの端部に挿し込んで接合させている。例えば、７０ｍ程度の長さのハウスであれば２０本〜４０本またはそれ以上の直パイプ部材を接合して組み立てる。これらのパイプ部材で組み立てた骨組みにハウス用ビニルを張って農業用ハウス１００が設置されている。この農業用ハウス１００は長期間屋外に設置されているので水や空気に触れてパイプ部材や接合部が錆付いて癒着してまう。したがって、農業用ハウスを解体する際には、パイプ部材の接合部を取り外すことが困難となる。
【０００３】
従来、このような場合に、差し込んで接合されている第１、第２直パイプ部材１０４ａ、１０４ｂを取り外すには、直パイプ部材の接合部にマイナスドライバ等の当て金をしてハンマー等で叩いたり、パイプレンチ等でパイプ部材を掴んで回転させたり、パイプ部材を掴んでいるパイプレンチ等を側面から直接ハンマーで叩いたりして作業を行なっていた。
【０００４】
【発明が解決しようとする課題】
しかしながら、直パイプ部材の接合部に当て金をしてハンマー等で叩いて取り外すとパイプ部材の端部がつぶれてしまっていた。よって、パイプ部材を再利用するにはつぶれた部分を切断しなければならず、手間がかかるとともに直パイプ部材が短くなってしまい不便であった。また、パイプレンチ等で掴んで直パイプ部材を回転させて外そうとしても接合部が錆付いて癒着していると、第１、第２直パイプ部材１０４a、１０４ｂともに回転してしまい簡単には取り外せなかった。また、直パイプ部材を掴んでいるパイプレンチを側面から直接ハンマーで叩くと、第１、第２直パイプ部材１０４a、１０４ｂが接続したまま叩いた方向に移動したり、またはパイプレンチ自体が衝撃に耐えきれず破損し、パイプ部材の取り外し作業が困難であった。また、上記したような取り外し作業では効率が悪いため、農業用ハウスを構成している数十本の直パイプ部材を全て取り外してしまうには多くの労力と作業時間がかかっていた。
【０００５】
本発明は上記従来の課題に鑑みてなされたものであり、その一つの目的は、例えば錆付くなどして取り外し難くなった農業用ハウスの骨組みパイプ部材の接合部を簡単な作業で、しかもパイプ部材を傷付けることなく再利用可能な状態でパイプ部材を取り外すことができ、労力を軽減し作業時間を短縮できるような農業用ハウスの骨組みパイプ部材の取り外し補助装置及びそれらを用いたパイプ部材の取り外し方法を提供することである。
【０００６】
【課題を解決するための手段】
上記目的を解決するために本発明は、農業用ハウスの骨組みとして縦横に交差して組みつけられた部分に用いられるパイプ部材の取り外し補助装置であって、前記パイプ部材の交差部において第１のパイプ部材（５０ａ）を掴む１対の挟持ヘッド１２ａ、１２ｂを有する掴み部１４と、掴み部１４に接続され握持動作により掴み部１４の掴み動作を行なわせるグリップ部２２と、を一体的に組み付けたハンドバイス体２４を有し、掴み部１４により第１のパイプ部材（５０ａ）を掴んだ状態で交差した第２のパイプ部材（４８）に係着し当該第１のパイプ部材（５０ａ）に差し込み接合された第３のパイプ部材（５０ｂ）の回し動作に抗してハンドバイス体２４の共回りを防止する回動防止片１６がいずれかの挟持ヘッド１２ａ、１２ｂに一体的に固定されていることを特徴とする農業用ハウスの骨組みパイプ部材の取り外し補助装置１０から構成される。
【０００７】
また、上記の農業用ハウス骨組みパイプ部材の取り外し補助装置１０の回動防止片１６は、いずれかの挟持ヘッド１２ａ、１２ｂの側方に向けて開口しパイプ部材を挿脱し得る係着溝４４を備えていてもよい。これによって、農業用ハウスの骨組みパイプ部材の取り外し補助装置１０をパイプ部材に簡易に脱着できる。
【０００８】
また、挟持ヘッド１２ａ、１２ｂの側部には叩打受け部４６が一体的に固定されていてもよい。これによって、パイプ部材取り外し補助装置１０の叩打受け部４６を側方から叩打してハンドバイス体を傷付けずにパイプ部材の取り外しを行なうことができる。
【０００９】
また、本発明は農業用ハウスの骨組み用パイプ部材の取り外し補助装置１０であって、前記パイプ部材を掴む１対の挟持ヘッド１２ａ、１２ｂを有する掴み部１４と、掴み部１４に接続され握持動作により掴み部の掴み動作を行なわせるグリップ部２２と、を一体的に組み付けたハンドバイス体２４を有し、掴み部１４によりパイプ部材（５０ｂ）を掴みロックした状態で側方から該掴み部１４を叩打するに際していずれかの挟持ヘッド１２ａ、１２ｂの側部に叩打受け部４６を一体的に固定して設けている農業用ハウスの骨組みパイプ部材の取り外し補助装置から構成される。これによって、農業用ハウスのパイプ部材取り外し補助装置の叩打受け部を側方から叩打してハンドバイス体を傷付けずパイプ部材の取り外しを行なうことができる。
【００１０】
また、上記目的を達成するために本発明は、請求項１ないし３のいずれかの装置を第１の補助装置１０ａ、１０ｃとし、請求項３または４記載の取り外し補助装置を第２補助装置１０ｂ、１０ｃとし、第１補助装置１０ａ、１０ｃの掴み部１４と回動防止片１６をパイプ部材（４８、５０ａ）の交差部において取り付けてロック保持し、第１補助装置１０ａ、１０ｃの掴み部１４により固定ロックされた第１のパイプ部材（５０ａ）に直状に差し込み接合された第３のパイプ部材（５０ｂ）を第２補助装置１０ｂ、１０ｃの掴み部１４で掴み固定させ、その状態で第２補助装置の叩打受け部４６を側方から叩打してパイプ部材の取り外しを行なう農業用ハウスの骨組みパイプ部材の取り外し方法から構成される。これによって、簡易にパイプ部材を取り外すことができる。
【００１１】
【発明の実施の形態】
以下、添付図面を参照しつつ本発明の実施形態について説明する。図１ないし図３は本発明の農業用ハウスの骨組みパイプ部材の取り外し補助装置（以下「補助装置」という）の第１の実施形態について示している。
【００１２】
図１ないし図３に示すように、補助装置１０ａは農業用ハウスの骨組みとして縦横に交差して組みつけられた部分に用いられるパイプ部材の取り外し補助装置であって、１対の挟持ヘッド１２ａ、１２ｂを有する掴み部１４と掴み部１４に接続されたグリップ部２２とを一体的に組付けたハンドバイス体２４を有している。この実施形態において、補助装置１０ａは挟持ヘッド１２ａの側方に回動防止片１６が一体的に固定されている。
【００１３】
ハンドバイス体２４の掴み部１４は、図に示すように、パイプ部材を掴む１対の挟持ヘッド１２ａ、１２ｂを備えている。また、掴み部１４に接続されたグリップ部２２は、片方の挟持ヘッド１２ａと一体に形成されている固定グリップ１８と、他の挟持ヘッド１２ｂに一体接続された揺動グリップ２０とからなっている。また、ハンドバイス体２４は、固定グリップ１８に接続された調整ボルト２６と付勢ばね３２と、揺動グリップ２０に揺動自在に接続された解放レバー３８と挟持補助部材４０とを一体的に組付けて備えている。
【００１４】
固定グリップ１８は、例えば、金属等から形成されている。この固定グリップ１８は、図１において、下に行くにしたがってやや幅狭になっていく棒状に形成されており、鋼板を断面Ｕ字状に曲成させて内部が中空であり、右側を開口させている。この固定グリップ１８の先端側、すなわち図１ないし図３において上端側には金属中実体からなる挟持ヘッド１２ａが一体的に形成されている。また、図において、この固定グリップ１８の下端側には固定グリップ１８の中空内部に連通したねじ孔が設けられている。このねじ孔に螺合されて固定グリップ１８の中空内部にある程度の長さを進出させ、かつ螺進退自在に接続された金属等からなる調整ボルト２６が設けられている。
【００１５】
また、図１、図２において、この固定グリップ１８の長手方向中間位置にはグリップ本体の鋼板の一部を中に折り込むように凹設させて、固定グリップ１８表面に孔３０を形成するとともに、内部への折り込み部分が係止片２８を形成し、この係止片２８には付勢ばね３２の一端側が係止されている。
【００１６】
挟持ヘッド１２ａ、１２ｂは、例えば金属等から形成されて固定グリップ１８と同じ材質で一体に形成されている。挟持ヘッド１２ａは前述したように固定グリップ１８の先端側に形成されたくちばし状の構造であり、図１において左側の挟持ヘッド１２ａの外面は丸みを帯びて膨らんだ流線型で形成されるとともに、右側の挟持ヘッド１２ｂは上端部がくちばし状に形成されており、下部は先端部より左右に広がった基部を形成している。挟持ヘッド１２ａ、１２ｂの互いの対向した面側は焼き入れ処理された鋼からなる凹凸状の歯３３が固定されている。
【００１７】
挟持ヘッド１２ｂは、図１に示すように、固定グリップ１８内に一部を配置させ、ピン部材３４ａにより固定グリップ１８に対して揺動自在に接続されている。そして、このピン部材３４ａを介して挟持ヘッド１２ｂのくちばし状先端部が挟持ヘッド１２ａのくちばし状先端部に対して近接離間するように揺動し、同様にそれらの歯３３を近接離間させる。これによって、挟持ヘッド１２ｂが挟持ヘッド１２ａに対して揺動しパイプ部材を掴みまたは解放状態にできる掴み部１４を形成している。また、挟持ヘッド１２ｂの基部、すなわち図１における下端側の略中央付近には丸孔３６が形成されており、この丸孔３６に付勢ばね３２の他端側が係止され、これによって、常時ピン部材３４ａ回りに挟持ヘッド１２ａ、１２ｂを開口させるような方向に付勢している。
【００１８】
さらに、挟持ヘッド１２ｂの基部側、すなわち図１における下端右側には揺動グリップ２０の一端側がピン部材３４ｂを介して揺動自在に接続されている。これによって、固定グリップ１８と揺動グリップ２０とを握りこむとにより挟持ヘッド１２ａ、１２ｂを近接方向に揺動させてパイプ部材を掴むことができる。
【００１９】
揺動グリップ２０も固定グリップ同様に、例えば金属等で形成されている。図１に示すように、略Ｓ字状の流線型で鋼板を断面Ｕ字状に曲成させて内部が中空であり、左側を開口させている。すなわち、揺動グリップ２０の開口と固定グリップ１８の開口部は対向するように設けられている。これによって、固定グリップ１８と揺動グリップ２０を握り込むことによって、掴み部１４がパイプ部材を掴むことができる。また、揺動グリップ２０の略中央付近に解放レバー３８がピン部材３４ｃによって揺動自在に接続されている。また、揺動グリップ２０において、ピン部材３４ｂ、３４ｃの間に挟まれた略中央で開口側の縁付近に挟持補助部材４０がピン部材３４ｄによって揺動自在に接続されている。
【００２０】
挟持補助部材４０は、例えば、金属等から形成されている。図１に示すように、挟持補助部材４０は固定グリップ１８と揺動グリップ２０との挟まれた位置に設置されている。この挟持補助部材４０の一端は揺動グリップ２０内に配置され、揺動グリップ２０の外側よりピン部材３４ｄによって揺動自在に接続されている。一方、挟持補助部材４０の他端側は固定グリップ１８内に配置されているがピン部材等によって固定されておらず、自由端として固定グリップ１８内をスライド移動し得る。また、図に示すように、固定グリップ１８内部では挟持補助部材４０の下端側が調整ボルト２６の先端に当接している。また、図に示すように、この挟持補助部材４０の下側面には、略矩形状の受け片４２が固定されている。
【００２１】
調整ボルト２６を調整して固定グリップ１８内に進退させることにより、挟持補助部材４０の固定グリップ内の端部（図１上で下端部）がスライド移動し得る。例えば、調整ボルト２６を固定グリップ１８内に進出させると、挟持補助部材４０の下端部が押動され上側にスライド移動するとともに、ピン部材３４ｄを介して挟持補助部材４０の上端側に接続された揺動グリップ２０を上側に押動する。それに伴って、ピン部材３４ｂを介して挟持ヘッド１２ｂを上側に押動し、挟持ヘッド１２ｂは付勢ばね３２の付勢に抗しながら先端部を挟持ヘッド１２ａの先端に近接させる方向にピン部材３４ａ回りに揺動する。また、調整ボルト２６を固定グリップ１８内から退出させると、挟持ヘッド１２ｂは付勢ばね３２によって付勢され、挟持ヘッド１２ｂの先端を挟持ヘッド１２ａの先端から離隔させる方向にピン部材３４ａ回りに揺動する。これによって、ピン部材３４ｂが揺動グリップ２０を下側に押動し、ピン部材３４ｄを介して挟持補助部材４０が下側に押動され、挟持補助部材４０は下端部を調整ねじ３２の端部に当接させながら下側にスライド移動する。これによって、掴み部１４の開口幅と掴み強度を調整する。
【００２２】
付勢ばね３２のばね付勢力により図３の鎖線示のように常時は挟持ヘッド１２ｂの基部側を引張させてピン部材３４ａ回りに付勢し、挟持ヘッド１２ｂの先端側を挟持ヘッド１２ａの先端側から離開させた状態に保持している。このとき、挟持補助部材４０の下端側とピン部材３４ｂとの中間枢着部となっているピン部材３４ｄ部分は全体としてく字状に曲げられた位置関係にある。挟持ヘッド１２ａ、１２ｂの間にパイプ部材をはさみ揺動グリップ２０の下端を固定グリップ１８の下端に近接させるように握ると、挟持補助部材４０は調整ねじ３２と当接している下端部を揺動軸としてピン部材３４ｄを固定グリップ１８に近接させる方向に揺動する。これによって、挟持補助部材４０下端部とピン部材３４ｄとピン部材３４ｂとが直線状になる方向に押圧されるので、ピン部材３４ｂが挟持ヘッド１２ｂを上側に押動し、ピン部材３４ａ回りに挟持ヘッド１２ｂの先端を掴み動作させるように揺動させる。挟持ヘッド１２ａ、１２ｂがパイプ部材に当接しさらに握り込むと、挟持ヘッド１２ｂは固定されたまま挟持補助部材４０の下端部とピン部材３４ｄとピン部材３４ｂとが直線状に押圧されるとともにピン部材３４ｂが挟持ヘッド１２ｂを上側に押圧し、挟持補助部材４０の下端が調整ねじ３２の端部を下側に押圧しながら掴み部１４がパイプ部材を任意の掴み強度をもって掴み、ハンドバイス体２４がロック固定される。
【００２３】
解放レバー３８は、例えば、金属等から形成されており、図に示すように、略３字形の棒状に形成されている。この解放レバー３８は一端を揺動グリップ２０内に配置させて、外側よりピン部材３４ｂにより揺動自在に接続されている。また、他端は図１の紙面垂直方向にやや平たくなっている。また、この解放レバー３８の揺動グリップ２０に接続されている側から一番近い曲がり部分付近が受け片４２に当接するように設けられている。これによって、解放レバー３８と固定グリップ１８を握り込むことにより、掴み部１４の固定ロック状態を解除し、補助装置１０をパイプ部材から取り外すことができる。
【００２４】
本発明において１つの特徴的なことは、いずれかの挟持ヘッドに回動防止片を一体的に固定したことであり、図２に示すように、この回動防止片１６は掴み部１４により第１のパイプ部材を掴んだ状態で交差した第２のパイプ部材に係着し当該第１のパイプ部材に差し込み接合された第３のパイプ部材の回し動作に抗してハンドバイス体２４の共回りを防止する。
【００２５】
回動防止片１６は、例えば金属等で形成されており、図２、図６に示すように、この実施形態で例えば横方向に配置されたパイプ部材を掴むようにハンドバイス体２４を設置した状態で、左側に向けて開口した係着溝４４を備えている。この実施形態で回動防止片１６は固定側の挟持ヘッド１２ａに溶接などにより一体的に固定された略コ字形の板体で形成されている。そして係着溝４４は、この板体の左端部から内側にＵ字状に切り込んで左側方に開口しパイプ部材を挿脱させる。係着溝の溝径は、パイプ部材とほぼ同じ幅かやや大きめに形成されている。これによって、交差しているパイプ部材に簡単に挿脱し得るとともに、ハンドバイス体の共回りを防止できる。回動防止片１６はこの実施形態に限らず、例えば挟持ヘッド１２ｂに固定されていてもよい。また、係着溝４４を右側方に開口させるように設けてもよい。また、板体に限らず開口した中空の筒体、その他の任意形状のブロック状の台などで構成してもよい。これによって、補助装置１０ａをパイプ部材の交差部にロック保持させることができ、パイプ取り外し作業が１人でできるとともに労力が軽減され作業時間が短縮できる。
【００２６】
次に、図４及び図５に基づいて補助装置１０の第２の実施形態について説明するが第１実施形態と同一部材には同一符号を付し、その詳細な説明は省略する。図に示すように、補助装置１０ｂは、第１実施形態の補助装置１０ａと同様に、１対の挟持ヘッド１２ａ、１２ｂを有する掴み部１４と掴み部１４に接続されたグリップ部２２とを一体的に組付けたハンドバイス体２４を有している。ハンドバイス体２４の構成も前記と同様に構成されている。この実施形態では、図４または図５に示すように、回動防止片を有しておらず、掴み部１４によりパイプ部材を掴みロックした状態で掴み部を側方から叩打するに際して挟持ヘッド１２ａの側部に叩打受け部４６を一体的に固定して設けている。
【００２７】
叩打受け部４６は、例えば金属等で形成されており、円筒の先端に円筒の径よりも大きい略半球を有するように形成されている。図５に示すように、挟持ヘッド１２ａの右側方に、すなわち図４において紙面手前側方向に突出するように一体的に固定されている。この叩打受け部４６を、例えばハンマー等で叩打するとハンドバイス体２０が破損することがない。この叩打受け部はこの実施形態に限らず、例えば突出してなくてもよく、側方からの叩打に耐え得るような強度をもった材質で構成されていてもよい。また、焼き入れ処理等を行なって強度をもたせてもよい。
【００２８】
次に、図６、図７も参照しつつ、第１、第２実施形態の補助装置１０ａ、１０ｂを用いて農業用ハウスの骨組みパイプ部材の取り外し方法を説明する。図６に示すように、農業用ハウスの骨組みは、脚部を地面に差し込んだアーチ形パイプ部材４８とこのアーチ形パイプ部材４８の脚部に直交するように接続された第１、第２直パイプ部材５０ａ、５０ｂからなっている。この第１直パイプ部材５０ａのやや小さい端部を第２直パイプ部材５０ｂの端部に直状に差し込んで接合され接合部５２を形成している。この接合された第１、第２直パイプ部材５０ａ、５０ｂを取り外す方法を説明する。第１実施形態の補助装置１０ａを第１補助装置として、第２実施形態の補助装置１０ｂを第２補助装置として使用する。
【００２９】
まず、予め、第１、第２補助装置１０ａ、１０ｂの掴み部１４のある程度の開口幅を調節する。調整ボルト２６を固定グリップ１８内に進出させると、挟持補助部材４０の下端は調整ボルトの先端に押され、図１、図４において上側にスライド移動する。それに伴って、揺動グリップ２０は挟持補助部材４０とともに上側方向にスライド移動するとともに、揺動グリップの先端がピン部材３４ｂを押動して挟持ヘッド１２ｂの先端は付勢ばね３２の付勢に抗しながら挟持ヘッド１２ａの先端に近接する方向に揺動する。一方、調整ボルト２６を固定グリップ１８内から離脱方向に移動させると、付勢ばね３２の付勢力によって、挟持ヘッド１２ｂの先端は挟持ヘッド１２ａの先端から離隔する方向に揺動する。それに伴って、ピン部材３４ｂが下側に押動され、挟持補助部材４０の下端を調整ボルト２６に当接させながら揺動グリップ２０と挟持補助部材４０は下側にスライド移動する。この調整ボルト２６によって、掴み部の開口幅を調節し、第１、第２直パイプ部材５０ａ、５０ｂの外径とほぼ同じ程度に調整する。これによって、グリップ部の握持動作によって掴み部がパイプ部材を掴んだ際の固定ロックの掴み強度を調節する。
【００３０】
次に、図６に示すように、アーチ形パイプ部材４８と第１直パイプ部材５０ａの交差した部分において、第１補助装置１０ａの掴み部１４が第１直パイプ部材５０ａをまたぐようにしながら回動防止片１６の係着溝４４にアーチ形パイプ部材４８の脚部を側方より係着させる。そして、固定グリップ１８と揺動グリップ２０を近接させるようにグリップ部２２を握り込むと、挟持ヘッド１２ｂの先端は挟持ヘッド１２ａの先端に近接する方向に揺動し、掴み部１４は第１直パイプ部材５０ａを掴み動作する。掴み部がパイプ部材に当接してさらにグリップ部を握り込むと、挟持ヘッド１２ａ、１２ｂが固定されたまま揺動グリップが固定グリップに近接し、挟持補助部材とピン部材３４ｂとピン部材３４ｄが直線状に伸ばすように押圧し、ハンドバイス体が固定ロックされる。したがって、回動防止片１６の係着溝４４がアーチ形パイプ部材４８に係着し、掴み部１４が第１直パイプ部材５０ａを掴むので第１補助装置１０ａは第１直パイプ部材５０ａとアーチ形パイプ部材４８の交差部に取り付けられロック保持される。これによって、例えば、第１直パイプ部材５０ａに回動しようとする力が働いた際には、アーチ形パイプ部材に係着している回動防止片によって、直パイプ部材及び第１補助装置１０ａの共回りを防止し得る。また、第２補助装置１０ｂの叩打受け部を叩打する際に、接合している第１、第２直パイプ部材がともに叩いた方向に移動するのを防止し得る。
【００３１】
次に、第２補助装置１０ｂを第２直パイプ部材５０ｂのパイプ接合部５２付近に、前記同様にグリップ部２２を握持動作して掴み部１４を掴み動作させ第２補助装置１０ｂを第２直パイプ部材５０ｂに固定させる。
【００３２】
第１補助装置１０ａの掴み部１４と回動防止片をパイプ部材の交差部において取付けてロック保持し、第２直パイプ部材５２ｂを第２補助装置１０ｂの掴み部で掴み固定させた状態で、第２補助装置１０ｂの叩打受け部４６を側方から、例えばハンマー等で叩打して、差し込み接合された第１、第２直パイプ部材５０ａ、５０ｂを取り外す。また、衝撃によって補助装置がパイプ部材から外れないように各々のグリップ部２２を握って行なうと好適である。このとき、第２補助装置１０ｂを回転させる方向に力を加えると、より効果的に取り外すことができる。また、パイプ部材の掴み部に掴まれる部分に薄いゴム部材等をパイプ部材に巻付けると滑ることなく、パイプ部材表面を傷付けずに作業を効率的に行なうことができる。これによって、錆付くなどして取り外し難くなったパイプ部材の接合部５２を簡単な作業で取り外すことができる。また、パイプ部材に直接衝撃等を加えないので、パイプ部材を傷付けることなく再利用可能な状態でパイプ部材を取り外すことができる。また、取り外し作業を１人でも行なうことができるとともに労力が軽減され作業時間を短縮できる。
【００３３】
また、パイプ部材から補助装置を取り外す際には、図３に示すように、固定グリップ１８と解放レバー３８を握り込む。このとき、解放レバー３８はピン部材３４ｃを軸として固定グリップ１８に近接する方向に揺動するとともに、挟持補助部材４０の受け片４２に当接し滑りながら揺動グリップ２０を固定グリップ１８から離隔させる方向に押動させる。それに伴って、掴み部１４の固定ロック状態が解除され、付勢ばね３２の付勢力によって挟持ヘッド１２ｂの先端は挟持ヘッド１２ａの先端に対して離隔する方向に揺動し、掴み部はパイプ部材を解放する。
【００３４】
次に、図８及び図９に基づいて本発明の補助装置の第３の実施形態について説明するが、前記した第１、第２実施形態と同一部材には同一符号を付し、その詳細な説明は省略する。この実施形態において、第１、第２補助装置としてともに補助装置１０ｃを用いている。図８は、補助装置１０ｃを説明している。補助装置１０ｃは第１実施形態と同様に、１対の挟持ヘッド１２ａ、１２ｂを有する掴み部１４、掴み部１４に接続されたグリップ部２２とを一体的に組付けたハンドバイス体２４を有している。ハンドバイス体２４は第１実施形態と同様にして構成されている。この実施形態において、補助装置１０ｃは、図８、図９に示すように、挟持ヘッド１２ａの近傍に回動防止片１６と叩打受け部４６の両方が一体的に固定されている。すなわち、補助装置１０ｃは、図１ないし図３に示した補助装置１０ａの挟持ヘッド１２ａの側方に叩打受け部が突出固定された構成となっている。
【００３５】
回動防止片１６は、第１実施形態における補助装置１０ａの回動防止片と同様の構成をなしている（図２参照）。図８において、紙面方向に開口して挟持ヘッド１２ａの紙面裏側に突出するように一体的に固定されている。
【００３６】
叩打受け部４６は、第２実施形態における補助装置１０ｂの叩打受け部と同様の構成をなしている（図５参照）。図８において、紙面手前方向に突出して、挟持ヘッド１２ａの紙面表側に一体的に固定されている。すなわち、この実施形態において，回動防止片１６と叩打受け部４６は、挟持ヘッド１２ａの互いに反対側に突出するように設けられている。
【００３７】
この実施形態において、図９に示すように、第１、第２補助装置としてともに補助装置１０ｃが使用される。補助装置１０ｃを用いた取り外し方法は、前記した実施形態と同様に行なわれる。１つの補助装置１０ｃを第１補助装置として、アーチ形パイプ部材４８と第１直パイプ部材５０ａの交差部に、回動防止片１６の係着溝４４をアーチ形パイプ部材に係着させる。次にグリップ部２２を握持動作し、掴み部１４が第１直パイプ部材５０ａを掴み動作させ、パイプ部材の交差部に固定ロックさせる。次に、もう１つの補助装置１０ｃを第２補助装置として、グリップ部２２を握持動作し、掴み部１４を掴み動作させ第２直パイプ部材５０ｂを固定ロックする。そして、第２補助装置の叩打受け部４６を例えばハンマー等で叩打して第１、第２直パイプ部材５０ａ、５０ｂの接合部５２を取り外す作業を行なう。よって、これに係る作用効果も前記した実施形態と同様のものが得られる。また、同種の補助装置１０ｃを用いるため、使用する際に第１、第２補助装置を区別する必要がないというような実効が得られる。
【００３８】
本発明の農業用ハウスの骨組みパイプ部材の取り外し補助装置及びそれらを用いたパイプ部材の取り外し方法は、上記した実施の形態に限定されるものではなく特許請求の範囲に記載した発明の本質を逸脱しない範囲において、任意の改変を加えてもよい。例えば、回動防止片１６の大きさ形状や固定位置はハンドバイス体２４のパイプ部材と共回りを防止するものであれば任意でもよい。また、叩打受け部４６の大きさ形状や固定位置は叩打しやすいものであれば任意でもよい。
【００３９】
【発明の効果】
以上説明したように、本発明の農業用ハウスの骨組みパイプ部材の取り外し補助装置によれば、農業用ハウスの骨組みとして縦横に交差して組みつけられた部分に用いられるパイプ部材の取り外し補助装置であって、前記パイプ部材の交差部において第１のパイプ部材を掴む１対の挟持ヘッドを有する掴み部と、掴み部に接続され握持動作により掴み部の掴み動作を行なわせるグリップ部と、を一体的に組み付けたハンドバイス体を有し、掴み部により第１のパイプ部材を掴んだ状態で交差した第２のパイプ部材に係着し当該第１のパイプ部材に差し込み接合された第３のパイプ部材の回し動作に抗してハンドバイス体の共回りを防止する回動防止片がいずれかの挟持ヘッドに一体的に固定されていることにより、補助装置をパイプ部材の交差部にロック保持させておいて一人でもパイプ部材の取り外し作業が容易に行なえるとともに労力が軽減され作業時間を短縮できる。
【００４０】
また、回動防止片は、いずれかの挟持ヘッドの側方に向けて開口しパイプ部材を挿脱し得る係着溝を備えてなることにより、掴み部で掴んだ第１のパイプ部材に交差する第２のパイプ部材に農業用ハウスの骨組みパイプ部材の取り外し補助装置を簡単に挿脱することができる。
【００４１】
また、挟持ヘッドの側部には叩打受け部が一体的に固定されていることにより、同種類の農業用ハウスの骨組みパイプ部材の取り外し補助装置を使用するので、取り外し作業において区別することなく第１、第２補助装置として使用することができ、経済的であり使用性も良好である。
【００４２】
また、農業用ハウスの骨組み用パイプ部材の取り外し補助装置であって、前記パイプ部材を掴む１対の挟持ヘッドを有する掴み部と、掴み部に接続され握持動作により掴み部の掴み動作を行なわせるグリップ部と、を一体的に組み付けたハンドバイス体を有し、掴み部によりパイプ部材を掴みロックした状態で側方から該掴み部を叩打するに際していずれかの挟持ヘッドの側部に叩打受け部を一体的に固定して設けていることにより、叩打受け部を例えばハンマー等で叩打して、差し込み接合されたパイプ部材を傷付けることなく取り外すことができる。また、ハンドバイス体を直接叩打しないので破損し難くなる。
【００４３】
また、本発明の骨組みパイプ部材の取り外し補助装置を用いたパイプ部材の取り外し方法によれば、請求項１ないし３のいずれかの装置を第１の補助装置とし、請求項３または４記載の取り外し補助装置を第２補助装置とし、第１補助装置の掴み部と回動防止片をパイプ部材の交差部において取り付けてロック保持し、第１補助装置の掴み部により固定ロックされた第１のパイプ部材に直状に差し込み接合された第３のパイプ部材を第２補助装置の掴み部で掴み固定させ、その状態で第２補助装置の叩打受け部を側方から叩打してパイプ部材の取り外しを行なうことにより、例えば錆付くなどして取り外し難くなった農業用ハウスの骨組みパイプ部材の接合部を簡単な作業で取り外すことができるので労力を軽減し作業時間を大幅に短縮できる、とともに、パイプ部材を傷付けることなく取り外すことができるのでパイプ部材の再利用ができ、経済的である。
【図面の簡単な説明】
【図１】本発明の農業用ハウスの骨組みパイプ部材の取り外し補助装置の第１実施形態の正面説明図である。
【図２】図１の左側面説明図である。
【図３】同補助装置がパイプ部材を掴んでいる状態から解放する際の作用説明図である。
【図４】本発明の農業用ハウスの骨組みパイプ部材の取り外し補助装置の第２実施形態の正面説明図である。
【図５】図４の左側面説明図である。
【図６】第１補助装置及び第２補助装置を用いた取り外し状態の説明図である。
【図７】農業用ハウスの全体斜視図である。
【図８】本発明の農業用ハウスの骨組みパイプ部材の取り外し補助装置の第３実施形態の正面説明図である。
【図９】図８の補助装置を用いた取り外し状態の説明図である。
【符号の説明】
１０ａ、１０ｂ、１０ｃ  補助装置
１２ａ、１２ｂ  挟持ヘッド
１４  掴み部
１６  回動防止片
２２  グリップ部
２４  ハンドバイス体
４６  叩打受け部
４８  アーチ形パイプ部材
５０ａ、５０ｂ  第１、第２直パイプ部材
【図１】
0004591807.tif 000002
【図２】
0004591807.tif 000003
【図３】
0004591807.tif 000004
【図４】
0004591807.tif 000005
【図５】
0004591807.tif 000006
【図６】
0004591807.tif 000007
【図７】
0004591807.tif 000008
【図８】
0004591807.tif 000009
【図９】
0004591807.tif 000010